(57)【要約】【課題】  杭打ちを上下垂直の振り下ろしも円弧軌跡の振り下ろしも、高耐久性を有して強打できるようにする。【解決手段】  略長方体形状の頭部体３の一長面３ａに連結穴４を穿孔し、この連結穴４にパイプ柄５の先端を挿入して連結している。前記パイプ柄５の先端内部に杭頭７ａと当接するプラグ８を嵌入し、頭部体３の連結穴４の奥面にパイプ柄５とプラグ８の先端８ａが当接する打撃受け面９を形成し、前記プラグ８を頭部体３の前記一長面３ａから突出する長さとしている。【選択図】図１
2019100132.tif 000002
【特許請求の範囲】
【請求項１】
略長方体形状の頭部体（３）の一長面（３ａ）に連結穴（４）を穿孔し、この連結穴（４）にパイプ柄（５）の先端を挿入して連結した杭打ちハンマーであって、
前記パイプ柄（５）の先端内部に杭頭（７ａ）と当接するプラグ（８）を嵌入し、頭部体（３）の連結穴（４）の奥面にパイプ柄（５）とプラグ（８）の先端（８ａ）が当接する打撃受け面（９）を形成し、前記プラグ（８）を頭部体（３）の前記一長面（３ａ）から突出する長さとしていることを特徴とする杭打ちハンマー。
【請求項２】
前記略長方体形状の頭部体（３）は、前記一長面（３ａ）と反対側の長面（３ｂ）、前記一長面（３ａ）と直交する２長面（３ｃ）及び長手方向の両端面（３ｄ）の内の少なくとも両端面（３ｄ）が打撃面とされていることを特徴とする請求項１に記載の杭打ちハンマー。
【請求項３】
前記プラグ（８）の外周は、連結穴（４）の奥面に当接する先端（８ａ）側が連結穴（４）から突出する端部（８ｂ）よりも大径のテーパに形成されていることを特徴とする請求項１又は２に記載の杭打ちハンマー。
【発明の詳細な説明】
【技術分野】
【０００１】
本発明は、金属製頭部を有する杭打ちハンマーに関する。
【背景技術】
【０００２】
概ね鎚・槌とも呼ばれるハンマーは、杭を打つ際には、頭部が重いので、柄を持って振って、杭頭等の高所打点を円弧軌跡を描かせながら打ち下ろすのは重労働になっている。そのため、杭頭を垂直軌跡を描かせながら打ち下ろすハンマーが考えられている。
特許文献１のパイプハンマーは、握りパイプの頭端に重錘を設け、握りパイプの下端に、該握りパイプの長さよりやや短い紐を取付け、この紐の先にクリップを装着している（実用新案登録請求の範囲）。
【先行技術文献】
【特許文献】
【０００３】
【特許文献１】実用新案登録第３１４８４８３号公報
【発明の概要】
【発明が解決しようとする課題】
【０００４】
前記従来技術は、杭や支柱を握りパイプに通して、握りパイプを上下垂直に振り下ろして杭頭を叩いて打ち込むことができるが、杭や支柱に対する打撃力が弱く、重錘から握りパイプが抜けることがあり、また、重錘を円弧軌跡を描かせながら杭頭に打ったり、物を打ったり潰したり壊したりするには、握りパイプと重錘との連結強度が足りない、等の問題を有している。
【０００５】
本発明は、このような従来技術の問題点を解決できるようにした杭打ちハンマーを提供することを目的とする。
本発明は、杭打ちを上下垂直の振り下ろしも円弧軌跡の振り下ろしも、高耐久性を有して強打できるようにした杭打ちハンマーを提供することを目的とする。
【課題を解決するための手段】
【０００６】
本発明における課題解決のための具体的手段は、次の通りである。
第１に、略長方体形状の頭部体３の一長面３ａに連結穴４を穿孔し、この連結穴４にパイプ柄５の先端を挿入して連結した杭打ちハンマーであって、
前記パイプ柄５の先端内部に杭頭７ａと当接するプラグ８を嵌入し、頭部体３の連結穴４の奥面にパイプ柄５とプラグ８の先端８ａが当接する打撃受け面９を形成し、前記プラグ８を頭部体３の前記一長面３ａから突出する長さとしていることを特徴とする。
【０００７】
第２に、前記略長方体形状の頭部体３は、前記一長面３ａと反対側の長面３ｂ、前記一長面３ａと直交する２長面３ｃ及び長手方向の両端面３ｄの内の少なくとも両端面３ｄが打撃面とされていることを特徴とする。
第３に、前記プラグ８の外周は、連結穴４の奥面に当接する先端８ａ側が連結穴４から突出する端部８ｂよりも大径のテーパに形成されていることを特徴とする。
【発明の効果】
【０００８】
本発明によれば、杭打ちを上下垂直の振り下ろしも円弧軌跡の振り下ろしも、高耐久性を有して強打できる。
即ち、請求項１に係る発明は、パイプ柄５の先端内部にプラグ８を嵌入し、頭部体３の連結穴４の奥面にパイプ柄５とプラグ８の先端８ａが当接する打撃受け面９を形成しているので、上下垂直の振り下ろしでプラグ８を介して頭部体３で杭頭７ａを強打でき、プラグ８を頭部体３の一長面３ａから突出する長さとしているので、プラグ８と頭部体３の連結強度を高くして円弧軌跡の振り下ろしも、高耐久性を有して強打できる。
【０００９】
請求項２に係る発明は、略長方体形状の頭部体３は、少なくとも長手方向の両端面３ｄを打撃面として利用できる。
請求項３に係る発明は、プラグ８の外周は、連結穴４の奥面に当接する先端８ａ側が連結穴４から突出する端部８ｂよりも大径のテーパに形成されているので、プラグ８で杭頭７ａを打撃することができ、プラグ８が打撃で変形しても、プラグ８と頭部体３の連結強
度を高めることができる。
【図面の簡単な説明】
【００１０】
【図１】本発明の実施形態を示す断面正面図である。
【図２】図１のＸ−Ｘ線断面図である。
【図３】上下垂直打ちの使用状態図である。
【図４】円弧軌跡打ちの使用状態図である。
【発明を実施するための形態】
【００１１】
以下、本発明の実施の形態を図面に基づいて説明する。
図１〜３において、杭打ちハンマー１は、略長方体形状の頭部体３の一長面３ａに連結穴４を穿孔し、この連結穴４にパイプ柄５の先端を挿入して連結している。
前記頭部体３は、鉄、鋼等の金属で形成されていて、杭、支柱等に打撃力を与え得る重鎮となっており、前記一長面３ａとその反対側の長面３ｂ、前記一長面３ａと直交する２長面３ｃ及び長手方向の両端面３ｄの６面を有する。
【００１２】
パイプ柄５は鋼等の金属で管形状に形成されていて、中実、中空の杭７、支柱等に嵌合できる管内径を有している。
頭部体３は一長面３ａがパイプ柄５と連結する連結面であり、長手方向の端部の両端面３ｄは打撃面であり、その他の３面も打撃可能な打撃面とされ、前記パイプ柄５の周囲の一長面３ａも打撃面とすることも可能になっている。前記４長面３ａ、３ｂ、３ｃは略平坦であるのに対して、両端面３ｄは周囲部が面取りを施している。
【００１３】
前記頭部体３の一長面３ａの連結穴４は、ドリルで穴明けした後、ドリル円錐穴４ｂの深さを浅くするように中ぐりしてリング状の平坦な打撃受け面９を形成している。連結穴４の入口周囲はＲ面取りが施されている。
前記パイプ柄５の先端内部には杭頭７ａと当接するプラグ８を嵌入している。このプラグ８は鋼塊を焼き入れしたものであり、その外周は、連結穴４の奥の打撃受け面９に当接する先端８ａ側が連結穴４から突出する端部８ｂよりも大径であって、先太りテーパに形成されている。
【００１４】
パイプ柄５はパイプの中途部を上下端部より細くしているが、全長同一径のパイプで形成してもよい。このパイプ柄５は先端内部にプラグ８を嵌入し、それらの先端を頭部体３の連結穴４に奥まで挿入して打撃受け面９に当接して連結する。
前記連結は、パイプ柄５を支柱に嵌合して、支柱にプラグ８の下面を当接し、プラグ８の先端８ａを頭部体３の打撃受け面９に当接し、その状態で上側の長面３ｂをハンマーで打撃すると、パイプ柄５の先端やプラグ８が最初に若干変形し、プラグ８及びパイプ柄５の先端を連結穴４に圧着する。なお。パイプ柄５の先端外周には接着剤が塗布され、頭部体３との結合強度を高くしている。
【００１５】
図３に示すように、杭打ちハンマー１を上下垂直打ちに使用するとき、頭部体３を上にしてパイプ柄５を下端から杭７に嵌合し、そしてパイプ柄５または頭部体３を持って、持ち上げてから自然落下させる。
落下時に、頭部体３は打撃受け面９に当接しているプラグ８の先端８ａに全重量を与え、プラグ８の下端面８ｃは杭７の杭頭７ａに衝突し、杭打ちの打撃を与える。パイプ柄５は杭７に打撃を直接与えるものではないが、パイプ柄５の先端面はプラグ８の先端８ａと一体になって打撃受け面９に当接しているので、打撃受け面９から受ける力はプラグ８に伝播させることができる。
【００１６】
プラグ８は打撃受け面９と杭頭７ａとから圧縮される方向の力を受けるので、プラグ８及びパイプ柄５の先端は連結穴４により圧着されることになり、頭部体３とパイプ柄５の連結強度は確保される。
図４に示すように、杭７を打ち込んで最終仕上げをするとき、または短い杭７を打ち込むとき（杭頭７ａの地上高が比較的低いとき）、杭打ちハンマー１は円弧軌跡打ちに使用される。
【００１７】
このとき、パイプ柄５を持って頭部体３を振り上げ、両端面３ｄを上下にして頭部体３に円弧軌跡を描かせながら打ち下ろし、端面３ｄを杭７の杭頭７ａに衝突し、杭打ちの打撃を与える。
パイプ柄５には頭部体３から軸心と直交する応力がかかるが、プラグ８の端部８ｂが頭部体３の長面３ａから突出しているので、長面３ａ付近でのパイプ柄５の強度が高く、円弧軌跡打ちの衝撃荷重を十分に耐える。
【００１８】
杭打ちハンマー１の頭部体３は、両端面３ｄの他、一長面３ａと反対側の長面３ｂでも左右の２長面３ｃでも、また、一長面３ａのパイプ柄５周囲部分でも、杭７、支柱等を打撃することができる。
なお、本発明は前記実施形態に限定されるものではなく、部材の形状、構成及び組み合わせ等を変更したりすることもできる。
【００１９】
例えば、頭部体３の長面３ａの連結穴４を、ドリルで穴明けした後、ドリル円錐穴４ｂを残さずに中ぐりして、円形の平坦な打撃受け面９を形成したり、プラグ８の先端８ａにドリル円錐穴４ｂに略適合する円錐突起を形成したりして、プラグ８の先端８ａの全面を打撃受け面９に当接させるようにしてもよい。
また、頭部体３の一長面３ａから穿孔した連結穴４は、ドリル円錐穴４ｂを反対長面３ｂまで貫通させ、反対長面３ｂからプラグ８に達する抜け止めボルトを挿入できるようにしてもよい。
【００２０】
頭部体３は、側部の長面を打撃に使用し難くなるが、六角柱体、八角柱体等の多角柱体に形成することも可能である。
【符号の説明】
【００２１】
１          杭打ちハンマー
３          頭部体
３ａ        一長面
３ｂ        反対長面
３ｃ        左右長面
３ｄ        端面
４          連結穴
４ｂ        ドリル円錐穴
５          パイプ柄
７          杭
７ａ        杭頭
８          プラグ
８ａ        先端
８ｂ        端部
８ｃ        下端面
９          打撃受け面
【図１】
2019100132.tif 000003
【図２】
2019100132.tif 000004
【図３】
2019100132.tif 000005
【図４】
2019100132.tif 000006